(57)【要約】【課題】ディスクの収納枚数に拘らず、ケース内におけるディスクの移動を確実に規制することができ、可搬型の収納容器としても使用できるようにする。【解決手段】アウターケース１が上面を開閉自在に被覆するボトムプレート２の上面の中央部に、周面に上下方向のネジ部３Ａを形成した支持棒３を立設させ、ネジ部３Ａに螺合する雌ネジを有する固定ナット４を備えた。ボトムプレート２の上面にディスクを積載して収納した状態で、支持棒３に螺合するするように固定ナット４を回転させていくと、最上位のディスクの上面に固定ナット４の底面が当接する位置で回転が停止する。この当接によってディスクの移動が規制される。【選択図】図２
2006001634.tif 000002
【特許請求の範囲】
【請求項１】
上面に積載して収納すべきディスクの孔部を貫通する支持棒を上面の中央部から上方に延出させたボトムプレートと、該ボトムプレートの上面を開閉自在に被覆する中空のアウターケースと、を備え、
前記支持棒における上下方向の任意の位置に選択的に固定され、平面視において前記ディスクの孔部よりも大きい形状の固定部材を設けたことを特徴とするスピンドルケース。
【請求項２】
前記支持棒は、周面に上下方向のネジ部を備え、
前記固定部材は、外径が前記ディスクの孔部の内径よりも大きく、前記支持棒のネジ部に螺合する固定ナットであることを特徴とする請求項１に記載のスピンドルケース。
【発明の詳細な説明】
【技術分野】
【０００１】
この発明は、ＣＤやＤＶＤ等のディスクを複数枚積層して収納するケースに関し、特に、ディスクの中央部に形成された孔部に貫通する棒状体（スピンドル）を備えたスピンドルケースに関する。
【背景技術】
【０００２】
文書情報、音楽情報及び画像情報等の記録に使用されるＣＤやＤＶＤ等のディスクは、数枚程度ケースに収納して運搬される場合があり、このため、収納するケースとして種々提案されている（例えば、特許文献１参照。）。一方、情報を記録していない空ディスクは、たとえば２５枚や５０枚等の多数枚の所定枚数をセットにして所定のケースに収納して販売される。このケースとして、一般に、ディスクの中央部に形成された孔部にスピンドルを貫通させて位置決めするようにしたスピンドルケースが用いられている。
【０００３】
スピンドルケースは、ディスクよりもやや大径の円盤状のボトムプレートと、ボトムプレートの上面を開閉自在に被覆する円筒形又は中空截頭円錐形状のアウターケースと、からなる。ボトムプレートの中央部からは上方にスピンドルが延出しており、ボトムプレートの上面にアウターケースを被せると、スピンドルの上端に形成されたネジ部がアウターケースの開口部から上面側に露出する。このネジ部にアウターケースの上面に当接するフランジ部を有するスクリューキャップを螺合させることにより、ボトムプレートとアウターケースとが一体化される。
【０００４】
このとき、アウタープレートの内側上面から下方に延出した突起が、ケース内に積層して収納されている複数枚のディスクの最上面に圧接し、複数枚のディスクを下方に押圧する。このため、ケースに対するディスクの収納時やケースからディスクを取り出す際の利便性を考慮して、スピンドルの外径をディスクの孔部の内径よりも充分に小さくしても、ケース内に収納された所定枚数のディスクが運搬時の振動等の作用によってケース内で移動することがなく、所定数枚のディスクを安定した状態でケース内に収納しておくことができる。
【特許文献１】特開２００１−０４８２７０号公報
【発明の開示】
【発明が解決しようとする課題】
【０００５】
しかしながら、従来のスピンドルケースでは、ケース内に所定枚数のディスクを収納した状態で、最上位に位置するディスクの上面を下方に押圧することでケース内におけるディスクの移動を規制していたため、ケース内に収納するディスク枚数が所定枚数よりも減少すると、収納しているディスクを下方へ充分に押圧することができなくなり、ケース内におけるディスクの移動を規制することができなくなる。
【０００６】
このため、ケース内に所定枚数よりも少ない枚数のディスクを収納した状態でケースを移動させると、ケース内でディスクが移動し、アウターケースやディスク同士の衝突によってディスクが破損する可能性がある。よって、所定枚数よりも少ない枚数のディスクを収納した状態での運搬に適さず、スピンドルケースを可搬型の収納容器として使用することができない問題があった。この結果、ユーザは、スピンドルケースに収納された所定枚数のディスクを購入した後、スピンドルケースを不要なものとして破棄しており、資源の浪費を招く結果となっていた。
【０００７】
この発明の目的は、ディスクの収納枚数に拘らず、ケース内におけるディスクの移動を確実に規制することができ、可搬型の収納容器としても使用することができ、ディスクの購入後に破棄されることによる資源の浪費を防止することができるスピンドルケースを提供することにある。
【課題を解決するための手段】
【０００８】
この発明は、上記の課題を解決するための手段として、以下の構成を備えている。
【０００９】
（１）上面に積載して収納すべきディスクの孔部を貫通する支持棒を上面の中央部から上方に延出させたボトムプレートと、該ボトムプレートの上面を開閉自在に被覆する中空のアウターケースと、を備え、
前記支持棒における上下方向の任意の位置に選択的に固定され、平面視において前記ディスクの孔部よりも大きい形状の固定部材を設けたことを特徴とする。
【００１０】
この構成においては、ボトムプレートの上面の中央部から上方に延出した支持棒をディスクの孔部に貫通させてボトムプレートの上面にディスクが積層して収納される。支持棒にはディスクの孔部よりも大きい形状の固定部材が上下方向の任意の位置に選択的に固定される。したがって、ボトムプレートの上面にディスクを収納した後に固定部材を支持棒の上端部から下方に向って移動させていくと固定部材がディスクの上面に当接し、この位置において固定部材を支持棒に固定することにより、ディスクの移動が規制される。
【００１１】
（２）前記支持棒は、周面に上下方向のネジ部を備え、
前記固定部材は、外径が前記ディスクの孔部の内径よりも大きく、前記支持棒のネジ部に螺合する固定ナットであることを特徴とする。
【００１２】
この構成においては、支持棒の周面に上下方向に形成されたネジ部に、ディスクの孔部の内径よりも大きい外径の固定ナットが螺合する。したがって、支持棒のネジ部に螺合した固定ネジを所定量だけ回転させることにより、固定ナットが支持棒の上下方向の任意の位置に選択的に固定される。
【発明の効果】
【００１３】
この発明によれば、以下の効果を奏することができる。
【００１４】
（１）ボトムプレートの上面にディスクを収納した後に固定部材を支持棒の上端部から下方に向って移動させていき、ディスクの上面に当接した固定部材を支持棒に固定することにより、ディスクの移動を規制することができ、ディスクの収納枚数に拘らず、ケース内におけるディスクの移動を確実に規制することができる。これによって、この発明のスピンドルケースを可搬型の収納容器としても使用することができ、資源の浪費を防止することができる。
【００１５】
（２）支持棒のネジ部に螺合した固定ナットを所定量だけ回転させることにより、固定ナットが支持棒の上下方向の任意の位置に選択的に固定することができ、ディスクの上面に対する固定ナットの当接によってディスクの収納枚数に拘らず、ケース内におけるディスクの移動を確実に規制することができる。これによって、この発明のスピンドルケースを可搬型の収納容器としても使用することができ、資源の浪費を防止することができる。
【発明を実施するための最良の形態】
【００１６】
図１は、この発明の実施形態に係るスピンドルケースの外観図である。図２は、同スピンドルケースの内部構造を示す図である。スピンドルケース１０は、中空截頭円錐形状のアウターケース１と、円盤状のボトムプレート２と、からなる。アウターケース１の上面には貫通孔１１が形成されている。アウターケース１の内径は、上端部において収納すべきディスクの外径よりも僅かに大きく、下端部１２に行くにしたがって大径化されている。
【００１７】
ボトムプレート２の上面の周囲には、全周にわたって段部２１が形成されており、この段部２１にアウターケース１の下端部１２が上方から嵌入する。ボトムプレート２の上面の中央部から上方に支持棒３が延出している。支持棒３は、従来のスピンドルケースにおけるスピンドルであり、収納すべきディスクの孔部を貫通する。
【００１８】
支持棒３は、円柱形状を呈し、周面に上下方向のネジ部３Ａが分割して形成されている。支持棒３のネジ部３Ａを含む外径は、収納すべきディスクの孔部の内径よりも小さくされている。支持棒３には、固定ナット４が螺合する。したがって、固定ナット４は、支持棒３における上下方向の任意の位置に選択的に固定される。固定ナット４の外径は、収納すべきディスクの孔部の内径よりも大きくされている。
【００１９】
支持棒３の高さは、アウターケース１の高さよりも僅かに低くされている。アウターケース１の上面の中央部には支持棒３の外径よりも大きい内径の貫通孔が形成されており、この貫通孔をアウターケース１の上側から貫通したキャップ５が螺合する。キャップ５の上面は貫通孔の内径よりも大きい外径のフランジ部によって構成されており、アウターケース１をボトムプレート２の上面に被せた後に、キャップ５を支持棒３に螺合させることにより、キャップ５のフランジ部がアウターケース１の上面に当接し、アウターケース１によるボトムプレート２の上面の被覆状態が維持される。
【００２０】
以上のように構成されたスピンドルケース１０において、アウターケース１をボトムプレート２から外した状態で、支持棒３から固定ナット４を取り外すと、支持棒３に対してディスクの孔部が挿脱自在になり、ボトムプレート２の上面に対してディスクを積層して収納すること、及び、ボトムプレート２の上面に積層して収納されたディスクを取り出すことができる。
【００２１】
スピンドルケース１０において収納可能な所定枚数以下のディスクがボトムプレート２の上面に積層して収納された状態で、支持棒３に固定ナット４を螺合させて回転させると、固定ナット４の底面が最上位のディスクの上面に当接し、スピンドルケース１０内におけるディスクの移動が規制される。これによって、所定枚数以下のディテクを収納した状態でスピンドルケース１０を移動させても、スピンドルケース１０内でディスクが移動することがなく、スピンドルケース１０を可搬型の収納容器として使用することができる。
【００２２】
なお、上記の実施形態では、ネジ部３Ａを形成した支持棒３に螺合する固定ナット４によってこの発明の固定部材を構成したが、この固定部材は、支持棒における上下方向の任意の位置に選択的に固定され、平面視においてディスクの孔部よりも大きい形状であることを条件に、他の構成とすることができる。例えば、支持棒の上下方向の任意の位置で、支持棒の周面を選択的に挟持することができる部材を固定部材として用いることができる。
【図面の簡単な説明】
【００２３】
【図１】この発明の実施形態に係るスピンドルケースの外観図である。
【図２】上記スピンドルケースの内部構造を示す図である。
【符号の説明】
【００２４】
１  アウターケース
２  ボトムプレート
３  支持棒
４  固定ナット
５  キャップ
１０  スピンドルケース
【図１】
2006001634.tif 000003
【図２】
2006001634.tif 000004